(57)【要約】【課題】  的確に水を冷やし、患者を快適に支持して、快適なマッサージを施すことができる水冷式水圧マッサージ機を提供すること。【解決手段】水圧マッサージ機（３９）において、水槽（１）内の水を冷却する冷却体（６）が水槽（１）外に設けられ、前記冷却体（６）はその内部に水道水が導水されるものであり、該水道水で水槽１（１）内の水を冷却し、水槽（1）には、水槽（1）の水を水槽（1）外部に循環させる循環機構（２１）が連通設置され、冷却体（６）は水槽（1）の外に設けられる冷却用容器（２７）で構成され、該冷却用容器（２７）内に熱交換器（２８）が設けられ、前記循環機構（２１）は熱交換器（２８）に水槽（1）の水を循環し、熱交換器（２８）の周囲には水道水が導子され該水道水で水槽（1）内の水が冷却される水冷式水圧マッサージ機である。【選択図】図１
2005074158.tif 000002
【特許請求の範囲】
【請求項１】
水圧マッサージ機（３９）において、水槽（１）内の水を冷却する冷却体（６）が水槽（１）外に設けられ、前記冷却体（６）はその内部に水道水が導水されるものであり、該水道水で水槽１（１）内の水を冷却することを特徴とする水冷式水圧マッサージ機。
【請求項２】
水槽（1）には、水槽（1）内の水を水槽（1）外部に循環させる循環機構（２１）が連通設置され、冷却体（６）は水槽（1）の外に設けられる冷却用容器（２７）で構成され、該冷却用容器（２７）内に熱交換器（２８）が設けられ、前記循環機構（２１）は熱交換器（２８）に水槽（1）内の水を循環し、熱交換器（２８）の周囲には水道水が導水され該水道水で水槽（1）内の水が冷却されることを特徴とする請求項１記載の水冷式水圧マッサージ機。
【請求項３】
冷却体（６）は、水槽（1）の側壁（４２）及び／又は底壁（７）を二重構造としてなる壁冷却用容器（４０）で構成され、壁冷却用容器（４０）に水道水が導水され該水道水で水槽（1）内の水が冷却されることを特徴とする請求項１記載の水冷式水圧マッサージ機。
【請求項４】
水槽（1）には、水槽（1）内の水を水槽（1）外部を通って循環させノズル（９）に供給するノズル用循環機構（３）が連通設置され、ノズル用循環機構（３）には加圧ポンプ（１６）が設けられており、冷却体（６）は加圧ポンプ（１６）に設けられるポンプ冷却具（４１）で構成され、前記ポンプ冷却具（４１）に水道水が導水され、該水道水で加圧ポンプ（１６）及び水槽（1）内の水が冷却されることを特徴とする請求項１記載の水冷式水圧マッサージ機。
【発明の詳細な説明】
【技術分野】
【０００１】
本発明は、臥姿勢の人体（＝以下患者という）の頸部、体幹及び下肢を、噴流水圧によりマッサージする水冷式水圧マッサージ機に関する。
【背景技術】
【０００２】
従来の技術は、ベッド本体と、噴射装置とからなるマッサージ装置であって、コントローラーがベッド本体に面一になっており、ベッド本体内部に水温調節管が設けられている。
【０００３】
従来の技術は、ベッド本体の内部に水温調節管が設けられているが、ベッド本体の内部の水を水道水で冷却するものではなかった。又、水温調節管を水槽の内部に設けており、水温調節管の大きさには制限があるため水温調節能力に限度があった。更に、従来の技術は、水温調節管を水槽の外部に設けて冷却能力を大容量にできるというものではなかった。
又、従来技術に水槽内の水を冷却する為に、水槽内の水を水道水で入れ替えるものがあるがこの構成は、水槽内の水を排水する量と供給する量のバランスを取る事が難しく、該バランスを取る構成が複雑であり信頼性にも欠け高コストとなり、不都合であった。
【特許文献１】特開平１１−２５３５１７号公報
【発明の開示】
【発明が解決しようとする課題】
【０００４】
解決しようとする問題点は、水槽の中に冷却体を設ける場合冷却体が占有するスペースに制限があるため冷却能力を大きくできないという点である。
【課題を解決するための手段】
【０００５】
本発明の目的は、上記要望に応えたものであり、的確に水槽内の水を冷やし、患者を快適に支持して、快適なマッサージを施すことができる水冷式水圧マッサージ機を提供することにある。
即ち本発明は、水圧マッサージ機（３９）において、水槽（１）内の水を冷却する冷却体（６）が水槽（１）外に設けられ、前記冷却体（６）はその内部に水道水が導水されるものであり、該水道水で水槽１（１）内の水を冷却することを特徴とする水冷式水圧マッサージ機である。
又、水槽（1）には、水槽（1）内の水を水槽（1）外部に循環させる循環機構（２１）が連通設置され、冷却体（６）は水槽（1）の外に設けられる冷却用容器（２７）で構成され、該冷却用容器（２７）内に熱交換器（２８）が設けられ、前記循環機構（２１）は熱交換器（２８）に水槽（1）内の水を循環し、熱交換器（２８）の周囲には水道水が導水され該水道水で水槽（1）内の水が冷却される。
或いは、冷却体（６）は、水槽（1）の側壁（４２）及び／又は底壁（７）を二重構造としてなる壁冷却用容器（４０）で構成され、壁冷却用容器（４０）に水道水が導水され該水道水で水槽（1）の水が冷却される。
更に、水槽（1）には、水槽（1）内の水を水槽（1）外部を通って循環させノズル（９）に供給するノズル用循環機構（３）が連通設置され、ノズル用循環機構（３）には加圧ポンプ（１６）が設けられており、冷却体（６）は加圧ポンプ（１６）に設けられるポンプ冷却具（４１）で構成され、前記ポンプ冷却具（４１）に水道水が導水され、該水道水で加圧ポンプ（１６）及び水槽（1）内の水が冷却される。
【発明の効果】
【０００６】
本発明は、水圧マッサージ機３９において、水槽１内の水を冷却する冷却体６が設けられ、前記冷却体６はその内部に水道水が導水されるものであり、該水道水で水槽１内の水を冷却するものであるから、冷却体６を簡素に製作でき、好都合である。
又、水道水で水槽１内の水を冷却するものであるから、冷凍機方式に比して、本発明は冷凍機を設けない分水圧マッサージ機３９が安価となり、機械騒音・振動も発生せず、静かに快適に施療でき、好都合である。
本発明は、水槽１内の水は入れ替わらないので、水槽１内の水を入れ替える従来装置における前記バランスを取る機構は不要であり、又、水槽１内の水の量に変更を与えないので水槽１内の水は一定に保たれ、好都合である。
【０００７】
本発明に係る水槽１には、水槽１内の水を水槽１外部を通って循環させる循環機構２１が連通設置され、冷却体６は水槽１の外に設けられる冷却用容器２７で構成され、該冷却用容器２７内に熱交換器２８が設けられる。前記循環機構２１は熱交換器２８に水槽１の水を循環し、冷却用容器２７にあって、熱交換器２８の周囲には水道水が導水され充満されており、該水道水で水槽１の水が冷却されるものである。
【０００８】
この構成によれば、水槽１より外部に冷却用容器２７及び熱交換器２８が設けられるから、熱交換器２８を大型化して熱交換能力を大きくでき、熱交換を迅速に行なえる。その結果、水槽１内の水が高温となって不快な治療状態にある時間を短縮でき、快適に施療を行なえ、好都合である。
【０００９】
本発明に係る冷却体６は、水槽１の側壁４２及び／又は底壁７を二重構造としてなる壁冷却用容器４０で構成され、壁冷却用容器４０に水道水が導水され充満され該水道水で水槽１内の水が冷却されるから、熱交換部分の面積を広面積にすることができ、冷却能力を大きくできる。そのため、水槽１内の水の温度を大きな冷却能力で冷却することにより、高温不快な治療状態にある時間を短縮でき、快適に施療を行なえ、好都合である。
【００１０】
又、水槽１とは別体の特別な冷却体６及び循環機構２１等を設けなくてよく、構成が簡略化できるので装置を小型化でき製作コストも安くでき、好都合である。
【００１１】
本発明に係る水槽１には、水槽１の水を水槽１外部を通って循環させるノズル用循環機構３が連通設置され、ノズル用循環機構３には加圧ポンプ１６が設けられており、冷却体６は加圧ポンプ１６に設けられるポンプ冷却具４１で構成され、前記ポンプ冷却具４１に水道水が導水され充満され、該水道水で加圧ポンプ１６及び水槽１の水が冷却される。
【００１２】
この構成によれば、加圧ポンプ１６の過熱を防いで長寿命化が図れ、加圧ポンプ１６の発熱が押さえられるので、加圧ポンプ１６に接する水槽１水の温度上昇も押さえることができ、好都合である。
【発明を実施するための最良の形態】
【００１３】
本発明の水圧マッサージ機３９で患者にマッサージを施す。
稼動中、水槽１内の水は摩擦熱で昇温する。水温が体温と同程度になると或いは体温を超えると、暑く不快感を催すので当該水を冷却する。
冷却体６へ水道水を導水し、水道水で水槽１内の水の熱を奪い、冷却する。冷却により、水槽１内の水の温度は、好適な温度に至り安定に保たれる。
【００１４】
循環機構２１は、水槽１内の水を冷却用容器２７へ導き通過させ再び水槽１内へ戻し循環させる。冷却用容器２７はその内部に収容した熱交換器２８の周りに水道水を導水し充満させ、該水道水によって熱交換器２８内を通る水槽１内の水を冷却（＝水冷式冷却）する。
【００１５】
水槽１の側壁４２及び／又は底壁７を二重構造としてなる壁冷却用容器４０に水道水を導水させ、該水道水によって側壁を介して水槽１内の水を冷却する。
【００１６】
ノズル用循環機構３は、水槽１内の水を、加圧ポンプ１６の作用をもって加圧ポンプ１６及びホース１９を通過させ循環させるものである。
前記加圧ポンプ１６は水槽１内の水を、吸引し、吐出し、循環させる。
加圧ポンプ１６に設けられるポンプ冷却具４１に水道水を導水させ、該水道水によって加圧ポンプ１６を冷却し、ひいては水槽１の水を冷却する。
【実施例１】
【００１７】
図１、２に本発明の実施例１を示している。
実施例１は、水を満たす水槽１と、該水槽１内にあって水槽１の長手方向に移動可能に設けられるノズル機構２と、ノズル機構２に水を供給するノズル用循環機構３と、水槽１の開口部４を水密に覆う可撓膜５と、水槽１内の水を冷却する冷却体６とからなる。
【００１８】
水槽１は平面視長方形の容器であり、該水槽１は水を収容する。水槽１の上面は開口してなる開口部４である。
尚、水槽１の形状は、平面視長方形に限定されるものではなく、平面視楕円形又は正方形又は適宜な任意な形状であってもよい。
【００１９】
前記可撓膜５は、伸縮材で製作され、水槽１の全周縁に止着される。
【００２０】
前記ノズル機構２は、水槽１の底壁７に載置され水槽１の長手方向に移動可能な台車８と、台車８の上部に形成されるノズル９と、水槽１の長手方向に掛け渡され台車８を移動させる移動用ネジ軸１０と、移動用ネジ軸１０を回動させ水槽１の外側に設けられるモーター１１とからなる。台車８の側面には取水口１２が設けられる。
【００２１】
移動用ネジ軸１０は、台車８に設けられる雌螺子１３に螺合される。台車８の下部には底壁７を転動する車輪１４が設けられる。
【００２２】
ノズル用循環管路１５は、水槽１内の水を加圧ポンプ１６で吸入し圧縮し、冷却体６内を通過させ、ノズル９へ付与し、循環させるものである。
前記加圧ポンプ１６は、水槽１内の水を、底壁７に開設された吸入口１７から吸入し、加圧し、加圧した加圧水を前記ノズル９へ付与し、噴射させるものである。
【００２３】
加圧ポンプ１６の吐水口１８に基端が取着されたホース１９の先端は、底壁７の出水口２０を貫通し台車８の取水口１２に接続される。前記加圧水は、台車８の内部においてノズル９に導かれる。
前記ノズル９から加圧水が噴出され、この噴出水は、可撓膜５を介して患者に当たり、患者を押圧刺激する。
【００２４】
冷却体６の第一具体例であるポンプ冷却具４１は、加圧ポンプ１６に設けられ、加圧ポンプ１６を覆う容器である。前記ポンプ冷却具４１に水道水が導水される。該水道水で加圧ポンプ１６を冷却しひいては、加圧ポンプ１６を通る水槽１内の水が冷却される。
【００２５】
尚、図示を省略するが、水槽１に、該水槽１の上部に有るエアーを抜くエアー抜き装置が設けられる。可撓膜５下に溜まるエアーは前記エアー抜き装置から必要に応じて抜き去られる。
【００２６】
水槽１に連通する循環機構２１は、水槽１の底壁７に設けられる吸い込み口２２及び吐き出し口２３と、吸い込み口２２と吐き出し口２３を水槽１外で連通する連通管２４と、連通管２４の系内に設けられるポンプ２５、循環系電磁弁２６及び冷却体６とからなる。
冷却体６の第二具体例である冷却用容器２７はその内部に熱交換器２８を収容する。
【００２７】
ポンプ２５及び循環系電磁弁２６は制御部２９から給電され、その作動は制御部２９により制御される。制御部２９には、底壁７に設けられ水槽１内の水温を図る温度センサー３０が接続される。
【００２８】
次に、図２に示す電気的構成を説明する。
制御部２９のマッサージ制御回路３１は、マッサージ設定器３２の信号を得て、加圧ポンプ１６及びモーター１１へ給電し駆動制御する。
温度比較器３３は、温度センサー３０から得る信号と、温度設定・表示器３４からの設定値信号とを比較する。
【００２９】
制御回路３５は、温度比較器３３の出力信号を得て、循環系電磁弁２６、ポンプ２５及び水道系電磁弁３６に給電し、駆動制御する。即ち、制御回路３５は、循環系電磁弁２６及び水道系電磁弁３６を開閉調節し流量を制御し、ポンプ２５を停動制御する。
図１中、３７は水位センサー、図２中、３８は電源である。
【００３０】
実施例１を使用する際は、先ず、水槽１に水を満たす。
次に、患者を、水槽１の開口部４を覆った可撓膜５上に乗せる。開口部４に張設されている可撓膜５の張力、及び水槽１内の水の浮力が作用し、患者を支持する。
【００３１】
続いて、加圧ポンプ１６を駆動させると、該加圧ポンプ１６は吸入口１７から水槽１内の水を吸入し、吸入した水をノズル９から噴出する。
可撓膜５は、伸縮性を有しているので、患者に押されて自在に変形し患者外形状によく添うと共に、噴出水の圧力を受けて自在に凸状に変形する。
【００３２】
可撓膜５に噴出水が衝突し該膜５は上方に瞬時突出変形し、可撓膜５を介して患者を押圧しマッサージ刺激を与える。
可撓膜５は、噴出水の衝撃に係るエネルギーの減衰を少なくして、当該エネルギーを患者に伝導する。
前記ノズル９は、台車８の移動に伴って縦方向（＝水槽１の長手方向）に往復移動する。
【００３３】
水圧マッサージ機３９においてはその稼動中に、水槽１内の水が摩擦し、該水から摩擦熱が発生する。
この摩擦熱により水槽１内の水の温度が上昇して来、患者に暑さによる不快感を与える。
快適な水圧マッサージをするために水槽１内の水の温度を冷却体６で冷却し適温に保つ。
【００３４】
水槽１内の水は、循環機構２１に吸い込まれ、冷却体６内の熱交換器２８を通過し循環する。
【００３５】
冷却体６内において、循環水は熱交換器２８を通過中に、冷却体６内にあって熱交換器２８の周囲に充満し且つ流れている水道水で冷却される。冷却された循環水は吐き出し口２３から水槽１に戻る。冷却体６から排出される水道水は適宜排水される。
上記の様に、水槽１内の水は、ポンプ２５に引かれて冷却体６を通って循環することによって冷却される。
【００３６】
更に、水槽１内の水は、加圧ポンプ１６に設けられるポンプ冷却具４１によっても冷却される。ポンプ冷却具４１に導水する水道水は、加圧ポンプ１６を冷やし過熱を防ぐと共に加圧ポンプ１６に接してその内部を循環している水槽１の水も冷却する。
【００３７】
制御部２９は、水温に応じて循環系電磁弁２６の開度を変更制御する。水温が高い程循環系電磁弁２６の開度は大きい。水温が低い程循環系電磁弁２６の開度は小さい。
【００３８】
水槽１の水の温度に係る設定を、一例として、３５度に決めると、最初は、３５度以下では循環系電磁弁２６は開かず、冷却用容器２７へ導水しない。
水温が３５度に至ると、循環系電磁弁２６は開く。水温が３５度を超えるとその増加分に対応して循環系電磁弁２６の開度が大きくなるよう制御される。水温が高温域（例えば４０度以上）に至ると、循環系電磁弁２６の開度は最大となり、上限開度（＝全開）となる。
【００３９】
水温に対応して冷却量及び冷却能力が制御され、水温は一定に保たれる。即ち、水温が高くなると水槽１内の水を大量に一挙に冷却し、水温が低くなると水槽１内の水を小量ずつ冷却する。
循環系電磁弁２６の開度を調節して、冷却用容器２７への水槽１内の水の導水量を調節したが、他の方法として、ポンプ２５の回転数を調節して冷却用容器２７への水槽１内の水の導水量を調節してもよい。
【００４０】
水道系電磁弁３６の開度調節により冷却用容器２７内の熱交換能力（＝冷却能力）を調節する。水道系電磁弁３６を大きく開け水道水を多く導水させれば熱交換能力が大きくなり、水道系電磁弁３６を小さく開け水道水を少なく導水させれば熱交換能力が小さくなる。水槽１内の水の温度が高温域になると熱交換能力を大きくし、水槽１内の水の温度が設定温度より微小高い温度（＝例えば３５度乃至３７度）の時は熱交換能力を小さくする。
【００４１】
水槽１内の水を冷却しない時は、循環系電磁弁２６を閉じて冷却用容器２７へ水槽１内の水を導水しない。この時は、ポンプ２５を止め、更に水道系電磁弁３６も閉じる。
【実施例２】
【００４２】
図３に示す実施例２は、実施例１における冷却用容器２７を壁冷却用容器４０に代え循環機構２１を設けないものである。
【００４３】
実施例２では、冷却体６は、水槽1の側壁４２を二重構造としてなる壁冷却用容器４０で構成され、壁冷却用容器４０に水道水が導水され充満され該水道水で水槽1内の水が冷却される。
尚、図示を省略するが、底壁７を二重構造として、これを壁冷却用容器４０としてもよい。又、上述した側壁４２を二重構造とした壁冷却用容器４０と、底壁７を二重構造とした壁冷却用容器４０とを併用しても良い。
制御回路３５は水槽1内の水の温度に応じて、壁冷却用容器４０に接続される水道系電磁弁３６の開度を変更制御する。水温が高い程前記水道系電磁弁３６の開度は大きい。水温が低い程水道系電磁弁３６の開度は小さい。
【００４４】
温度設定・表示器３４で水槽１内の水の温度を、一例として、３５度に設定すると、最初は、３５度以下では前記水道系電磁弁３６の開度は零（＝閉止）であり、壁冷却用容器４０への導水は行なわず、水槽１内の水を冷却しない。
【００４５】
３５度に至ると、壁冷却用容器４０に接続される水道系電磁弁３６が開き、壁冷却用容器４０へ導水し、冷却を開始する。高温域に至ると、前記水道系電磁弁３６の開度が大きくなり、水道水の導水量が増え冷却能力が大きくなる。水槽１内の水の温度上昇に対応して水道系電磁弁３６の開度が大きくなり、冷却能力が調節され、水温が一定の好適温度に保たれる。
【産業上の利用可能性】
【００４６】
本発明は、水槽１内の水の温度を高能率に冷却し静寂に水圧マッサージを行なう水圧マッサージ機３８に適用できる。
【図面の簡単な説明】
【００４７】
【図１】本発明の実施例１の側断面図である。
【図２】本発明の実施例１の電気的構成を示す図である。
【図３】本発明の実施例２の内部を透視した平面図である。
【符号の説明】
【００４８】
１  水槽
３  ノズル用循環機構
６  冷却体
７  底壁
９  ノズル
１６  加圧ポンプ
２１  循環機構
２７  冷却用容器
２８  熱交換器
３９  水圧マッサージ機
４０  壁冷却用容器
４１  ポンプ冷却具
４２  側壁
【図１】
2005074158.tif 000003
【図２】
2005074158.tif 000004
【図３】
2005074158.tif 000005